(57)【要約】【課題】幼児の乗せ降ろしが容易な自転車用幼児座席および幼児座席付き自転車を提供する。【解決手段】自転車２に取り付けられる幼児座席１０は、座面部２１と座面部２１の両側方から接続した一対の側壁部２５，２６とを有する座席本体２０と、座席本体２０の一対の側壁部２５，２６にそれぞれ設けられた端部支持部材４１，４２に、両端部において接続した握り部材５０と、を備え、握り部材５０は、その一側端部５１において、一側端部支持部材４１に着脱可能となっており、握り部材５０は、その他側端部５２において、握り部材５０に沿った回転軸線を中心として回転可能に他側端部支持部材４２に接続している。【選択図】図３
2020075587.tif 000002
【特許請求の範囲】
【請求項１】
自転車に取り付けられる幼児用の座席であって、
座面部と前記座面部の両側方から接続した一対の側壁部とを有する座席本体と、
前記座席本体の一対の側壁部にそれぞれ設けられた端部支持部材に、両端部において接続した握り部材と、を備え、
前記握り部材は、その一側端部において、一側端部支持部材に着脱可能となっており、
前記握り部材は、その他側端部において、前記握り部材に沿った回転軸線を中心として回転可能に他側端部支持部材に接続している、自転車用幼児座席。
【請求項２】
前記一側端部における前記握り部材に沿った方向に、前記一側端部を前記一側端部支持部材に対して相対移動させることで、前記握り部材は前記一側端部支持部材に着脱可能となっている、請求項１に記載の自転車用幼児座席。
【請求項３】
前記一側端部および前記一側端部支持部材の一方が、前記相対移動の方向に突出した保持凸部を有し、
前記一側端部および前記一側端部支持部材の他方が、前記保持凸部を収容可能な保持凹部を有している、請求項２に記載の自転車用幼児座席。
【請求項４】
前記握り部材は、少なくとも一部分において弾性変形可能であり、前記握り部材が弾性変形することで前記保持凸部が前記保持凹部から抜け出し可能となっている、請求項３に記載の自転車用幼児座席。
【請求項５】
前記握り部材は、少なくとも一部分において弾性変形可能であり、外力が加えられていない状態で、前記保持凸部が前記保持凹部内に位置する、請求項３又は４に記載の自転車用幼児座席。
【請求項６】
前記一側端部支持部材に設けられた前記保持凸部又は前記保持凹部は、前記一側端部支持部材を支持する一側側壁部よりも幅方向外側に位置している、請求項３〜５のいずれか一項に記載の自転車用幼児座席。
【請求項７】
前記一側端部支持部材に設けられた前記保持凸部又は前記保持凹部は、前記一側端部支持部材を支持する一側側壁部の上縁よりも上方に位置している、請求項３〜６のいずれか一項に記載の自転車用幼児座席。
【請求項８】
前記一側端部支持部材は、前記一側端部支持部材を支持する一側側壁部よりも幅方向外側において前記握り部材の前記一側端部と接続し、
前記他側端部支持部材は、前記他側端部支持部材を支持する他側側壁部よりも幅方向外側において前記握り部材の前記他側端部と接続している、請求項１〜７のいずれか一項に記載の自転車用幼児座席。
【請求項９】
前記一側端部支持部材は、前記一側端部支持部材を支持する一側側壁部の上縁よりも上方において前記握り部材の前記一側端部と接続し、
前記他側端部支持部材は、前記他側端部支持部材を支持する他側側壁部の上縁よりも上方において前記握り部材の前記他側端部と接続している、請求項１〜８のいずれか一項に記載の自転車用幼児座席。
【請求項１０】
側面視において、前記側壁部の縁に垂直な方向に対してなす角度が１０°以下となる方向に、前記握り部材の前記両端部は前記端部支持部材から延び出している、請求項１〜９のいずれか一項に記載の自転車用幼児座席。
【請求項１１】
前記座席本体に着脱可能なフットカバーを更に備え、
前記フットカバーは、前記握り部材に取り付け可能となっている、請求項１〜１０のいずれか一項に記載の自転車用幼児座席。
【請求項１２】
請求項１〜１１のいずれか一項に記載の幼児座席と、
前記幼児座席を取り付けられた自転車と、を備える幼児座席付き自転車。
【発明の詳細な説明】
【技術分野】
【０００１】
本発明は、自転車用幼児座席および幼児座席付き自転車に関する。
【背景技術】
【０００２】
自転車に取り付けて子供を乗せるための自転車用幼児座席が広く普及している。幼児座席は、幼児が着座する座部を有する座席本体と、座席本体に固定され、座部に着座した幼児が掴まる握りバーと、を含む。
【先行技術文献】
【特許文献】
【０００３】
【特許文献１】特開２００１−２３８７６６号公報
【発明の概要】
【発明が解決しようとする課題】
【０００４】
ところで、握りバーは、座部に着座した幼児が掴まりやすいよう、座部の上方に座部の幅方向に沿って延びている。このような幼児座席に幼児を乗せ降ろしするには、幼児を、握りバーを越える高さにまで持ち上げる必要がある。このことは、幼児座席への幼児の乗せ降ろしを困難にしている。
【０００５】
本件発明は、以上の点を考慮してなされたものであって、幼児の乗せ降ろしが容易な幼児座席および幼児座席付き自転車の提供を目的とする。
【課題を解決するための手段】
【０００６】
本発明による自転車用幼児座席は、
自転車に取り付けられる幼児用の座席であって、
座面部と前記座面部の両側方から接続した一対の側壁部とを有する座席本体と、
前記座席本体の一対の側壁部にそれぞれ設けられた端部支持部材に、両端部において接続した握り部材と、を備え、
前記握り部材は、その一側端部において、一側端部支持部材に着脱可能となっており、
前記握り部材は、その他側端部において、前記握り部材に沿った回転軸線を中心として回転可能に他側端部支持部材に接続している。
【０００７】
本発明による自転車用幼児座席において、
前記一側端部における前記握り部材に沿った方向に、前記一側端部を前記一側端部支持部材に対して相対移動させることで、前記握り部材は前記一側端部支持部材に着脱可能となっていてもよい。
【０００８】
また、本発明による自転車用幼児座席において、
前記一側端部および前記一側端部支持部材の一方が、前記相対移動の方向に突出した保持凸部を有し、
前記一側端部および前記一側端部支持部材の他方が、前記保持凸部を収容可能な保持凹部を有していてもよい。
【０００９】
また、本発明による自転車用幼児座席において、
前記握り部材は、少なくとも一部分において弾性変形可能であり、前記握り部材が弾性変形することで前記保持凸部が前記保持凹部から抜け出し可能となっていてもよい。
【００１０】
また、本発明による自転車用幼児座席において、
前記握り部材は、少なくとも一部分において弾性変形可能であり、外力が加えられていない状態で、前記保持凸部が前記保持凹部内に位置してもよい。
【００１１】
また、本発明による自転車用幼児座席において、
前記一側端部支持部材に設けられた前記保持凸部又は前記保持凹部は、前記一側端部支持部材を支持する一側側壁部よりも幅方向外側に位置していてもよい。
【００１２】
また、本発明による自転車用幼児座席において、
前記一側端部支持部材に設けられた前記保持凸部又は前記保持凹部は、前記一側端部支持部材を支持する一側側壁部の上縁よりも上方に位置していてもよい。
【００１３】
また、本発明による自転車用幼児座席において、
前記一側端部支持部材は、前記一側端部支持部材を支持する一側側壁部よりも幅方向外側において前記握り部材の前記一側端部と接続し
前記他側端部支持部材は、前記他側端部支持部材を支持する他側側壁部よりも幅方向外側において前記握り部材の前記他側端部と接続していてもよい。
【００１４】
また、本発明による自転車用幼児座席において、
前記一側端部支持部材は、前記一側端部支持部材を支持する一側側壁部の上縁よりも上方において前記握り部材の前記一側端部と接続し、
前記他側端部支持部材は、前記他側端部支持部材を支持する他側側壁部の上縁よりも上方において前記握り部材の前記他側端部と接続していてもよい。
【００１５】
また、本発明による自転車用幼児座席において、
側面視において、前記側壁部の縁に垂直な方向に対してなす角度が１０°以下となる方向に、前記握り部材の前記両端部は前記端部支持部材から延び出していてもよい。
【００１６】
また、本発明による自転車用幼児座席は、
前記座席本体に着脱可能なフットカバーを更に備え、
前記フットカバーは、前記握り部材に取り付け可能となっていてもよい。
【００１７】
本発明による幼児座席付き自転車は、
上記幼児座席と、
前記幼児座席を取り付けられた自転車と、を備える。
【発明の効果】
【００１８】
本発明によれば、幼児の乗せ降ろしが容易な幼児座席および幼児座席付き自転車を提供することができる。
【図面の簡単な説明】
【００１９】
【図１】本発明の一実施の形態を説明するための図であって、幼児座席付き自転車を示す側面図。
【図２】図１の幼児座席付き自転車のハンドルおよび幼児座席を後方から示す図。
【図３】図１の幼児座席を前方から示す斜視図。
【図４】図３の幼児座席を一側から示す側面図。
【図５】図３の幼児座席を他側から示す側面図。
【図６】図３に対応する図であって、握り部材を移動させた状態を示す図。
【図７】一側端部支持部材を示す斜視図。
【図８】握り部材の一側端部を示す斜視図。
【図９】図３に対応する図であって、フットカバーが装着された幼児座席を示す図。
【図１０】図９に示すフットカバーの斜視図。
【図１１】フットカバーを幼児座席の座席本体から取り外した状態を示す斜視図。
【図１２】握り部材の一側端部の変形例を示す側面図。
【図１３】図１２に示す一側端部の斜視図。
【発明を実施するための形態】
【００２０】
図１〜図１３は、本発明による幼児座席付き自転車の一実施の形態を説明するための図である。このうち図１には、幼児座席付き自転車の全体構成が示されている。図１に示すように、本実施の形態による幼児座席付き自転車１は、幼児座席１０と、幼児座席１０を取り付けられた自転車２と、を含む。また、図２は、自転車２に取り付けられた幼児座席１０を後方から見た図である。
【００２１】
なお、本明細書中において、自転車２に対する「前」、「後」、「上」、「下」、「前後方向」、および「上下方向」の用語は、特に指示がない場合、自転車２を運転する運転者を基準とした「前」、「後」、「上」、「下」、「前後方向」、および「上下方向」を意味する。したがって、「前後方向」とは、図１における紙面の左右の方向に相当する。そして、特に指示がない限り、「前」とは、自転車２を運転する運転者が向く側であり、図１における紙面の右側が自転車２の前側となる。一方、「上下方向」とは前後方向に直交するとともに接地面に直交する方向である。したがって、接地面が水平面である場合、「上下方向」とは垂直方向をさす。また、「幅方向」とは、横方向であって、「前後方向」および「上下方向」のいずれにも直交する方向である。
【００２２】
また、本明細書中において、幼児座席１０に対する「前」、「後」、「上」、「下」、「前後方向」、および「上下方向」の用語は、特に指示がない場合、自転車２に取り付けられた幼児座席１０に着座する幼児を基準とした「前」、「後」、「上」、「下」、「前後方向」、および「上下方向」を意味する。したがって、「前後方向」とは、図１における紙面の左右の方向に相当する。そして、特に指示がない限り、「前」とは、幼児座席１０に着座する幼児が向く側であり、図１における紙面の右側が幼児座席１０の前側となる。一方、「上下方向」とは前後方向に直交するとともに、自転車２の接地面に直交する方向である。したがって、上記接地面が水平面である場合、「上下方向」とは垂直方向をさす。また、「幅方向」とは、横方向であって、「前後方向」および「上下方向」のいずれにも直交する方向である。
【００２３】
以下、図面を参照して本発明の一実施の形態について説明する。
【００２４】
上述したように、幼児座席付き自転車１は、幼児座席１０と、幼児座席１０を取り付けられた自転車２と、を含む。幼児座席１０には、後述するフットカバー７０を装着することができる。
【００２５】
まず、自転車２について説明する。自転車２は、概ね前後方向に延びる主フレーム部３と、主フレーム部３の前端に接続されたフロントフォーク４と、フロントフォーク４の下端部に回転可能に支持された前輪５ａと、主フレーム部３の後端部に回転可能に支持された後輪５ｂと、を含む。フロントフォーク４は、概ね上下方向に沿って延びる軸線を中心として回動可能となっている。また、前輪５ａ及び後輪５ｂは、幅方向に沿った軸線を中心として回転可能となっている。さらに、自転車２は、フロントフォーク４の上端部に接続されたハンドル６と、主フレーム部３の長手方向の中央から上方に延び出すシートパイプ３ａに支持されたサドル７と、サドル７の後方かつ後輪５ｂの上方に設けられた荷台８と、を含む。荷台８は、主フレーム部３の後端部から上方に延び出す荷台支持部材３ｂによって支持されている。
【００２６】
次に、図１および図２を参照してハンドル６について説明する。図２は、ハンドル６を後方から、すなわちサドル７の側から見た図である。ハンドル６は、運転者が前輪５ａの向きを操作するために使用されるものである。ハンドル６は、フロントフォーク４の上端に固定され、フロントフォーク４と共に主フレーム部３に対して回転可能となっている。したがって、ハンドル６を回転させるとフロントフォーク４が保持する前輪５ａの向きが変わる。
【００２７】
図２に示すように、ハンドル６は、Ｕ字状に形成されたハンドル本体６ａを含む。ハンドル本体６ａは、全体として水平方向に直線状に延びる中央直線部６ｂと、中央直線部６ｂの両側で上下方向に延びる一対の上下方向直線部６ｃ，６ｄと、上下方向直線部６ｃ，６ｄの下端と中央直線部６ｂの対応する側の端部とを接続する一対の湾曲部６ｅ，６ｆと、を含む。また、ハンドル本体６ａは、各上下方向直線部６ｃ，６ｄの上端部から後方に延び出す一対の後方延出部６ｇ，６ｈを含む。各後方延出部６ｇ，６ｈの後端部には、グリップ６ｉが装着されている。
【００２８】
次に、図１〜図６を参照して、幼児座席１０について説明する。図３は幼児座席１０の全体構成を示す斜視図であり、図４および図５は、それぞれ、幼児座席１０を一側および他側から示す側面図である。図６は、図３に対応する図であって、幼児を幼児座席１０に乗せ降ろしする際の幼児座席１０を示す図である。なお、幼児座席１０に含まれるいくつかの構成要素は、一部の図面では示されているものの、他の図面では図示を省略されている。
【００２９】
図３に示すように、幼児座席１０は、幼児を収容する座席本体２０と握り部材５０とを有する。握り部材５０は、概ね座席本体２０の幅方向に延び、両端部が座席本体２０に接続している。
【００３０】
図示された例では、座席本体２０は、座面部２１と、座面部２１に後方から接続した後壁部２２と、を含む。座面部２１は、幼児座席１０に着座する幼児の臀部に対面するようになる部位である。後壁部２２は、幼児の背中に対面するようになる部位である。また、座席本体２０は、座面部２１の前方に位置する前壁部２３と、座面部２１に側方から接続し且つ後壁部２２と前壁部２３とを接続する一対の側壁部２５，２６と、前壁部２３と座面部２１とを連結する接続部２７とを含む。一対の側壁部２５，２６、後壁部２２および前壁部２３によって、座面部２１および接続部２７を周状に取り囲む周壁部２８が形成されている。一対の側壁部２５，２６には、握り部材５０を接続するための一対の端部支持部材４１，４２が設けられている。
【００３１】
図２に示すように、幼児座席１０は、ハンドル本体６ａの一対の上下方向直線部６ｃ，６ｄの間に配置され、ハンドル６に対して固定されている。より具体的には、座席本体２０が、座面部２１において、ハンドル本体６ａの中央直線部６ｂに固定されている。また、座席本体２０は、各側壁部２５，２６において、ハンドル本体６ａの対応する側の上下方向直線部６ｃ，６ｄに固定されている。
【００３２】
図３に示すように、座面部２１、後壁部２２および一対の側壁部２５，２６には、衝撃吸収部材２９ａが設けられている。また、後壁部２２の上部には、ヘッドレスト２９ｂが設けられている。
【００３３】
また、座席本体２０には、子供用ベルト３０が設けられている。図３に示す例では、子供用ベルト３０は、股ベルト、腰ベルトおよび肩ベルトを有する五点式ベルトとして形成されているが、これに限られない。例えば、子供用ベルト３０は、股ベルトおよび肩ベルトを有する三点式ベルトとして形成されてもよい。
【００３４】
図３および図６によく示されているように、子供用ベルト３０は、第１ベルト部材３１と、第２ベルト部材３２と、を有している。第１ベルト部材３１は、股ベルトとして機能する。第２ベルト部材３２は、肩ベルト３２ａ及び腰ベルト３２ｂとして機能する。第１ベルト部材３１は、座面部２１の略中央に一端を固定されている。第１ベルト部材３１の他端には、バックル３３が取り付けられている。また、第１ベルト部材３１には、ベルトカバー３４が設けられている。一方、第２ベルト部材３２は、幅方向Ｄ１に離間して一対設けられている。各第２ベルト部材３２はタング３５を通過して延びており、タング３５で折り返されることによって、肩ベルト３２ａ及び腰ベルト３２ｂが画成される。第２ベルト部材３２の腰ベルト３２ｂ側の端部は、座面部２１に固定されている。一対の第２ベルト部材３２は、座面部２１内を通過して、座席本体２０のうちの座面部２１と後壁部２２との接続位置を含む腰区域２４内の幅方向両端部に位置する一対の端領域２４ａから、それぞれ延び出ている。第２ベルト部材３２の肩ベルト３２ａ側の端部は、後壁部２２に設けられた子供用ベルト穴を通過して、後壁部２２内に配置されている。そして、後壁部２２内で、ベルト長調節部材３６の一端に接続されている。ベルト長調節部材３６は、座面部２１に設けられた子供用ベルト穴を通過して、その他端がベルトカバー３４に接続されている。
【００３５】
このような子供用ベルト３０を用いる場合、まず、幼児座席１０に子供を着座させ、タング３５をバックル３３で係止する。次に、ベルト長調節部材３６を引っ張って、腰ベルト３２ｂ及び肩ベルト３２ａの長さを調節する。このようにして、子供用ベルト３０によって、幼児座席１０に着座した子供を幼児座席１０に固定することができる。なお、ベルト長調節部材３６は、座面部２１内で、図示しない固定装置によって固定されている。この固定装置によって、意図せずベルト長調節部材３６が座面部２１および後壁部２２内に引き込まれて腰ベルト３２ｂ及び肩ベルト３２ａが緩むことが防止されている。
【００３６】
次に、握り部材５０について説明する。握り部材５０は、握り部材５０の一側端部をなす一側接続部５１と、他側端部をなす他側接続部５２と、一側接続部５１および他側接続部５２を接続する中間部５３と、を有する。中間部５３は湾曲しており、握り部材５０は、全体としてＵ字状をなす。したがって、握り部材５０の軸線５０ｘは、Ｕ字状に延びている。握り部材５０の一側接続部５１および他側接続部５２は、握り部材５０のＵ字の両端に相当する部分である。一側接続部５１は、一側側壁部２５に設けられた一側端部支持部材４１に接続する。また、他側接続部５２は、他側側壁部２６に設けられた他側端部支持部材４２に接続する。図３に示すように、一側側壁部２５が一側端部支持部材４１に接続した状態において、中間部５３は、座面部２１の上方を幼児座席１０の幅方向に沿って延びている。
【００３７】
図４によく示されているように、一側接続部５１は、一側端部支持部材４１に接続した状態において、一側側壁部２５から上方に延び出している。また、図５によく示されているように、他側接続部５２は、他側端部支持部材４２に接続した状態において、他側側壁部２６から上方に延び出している。これにより、握り部材５０の中間部５３と座席本体２０の座面部２１との間に、広い空間が確保される。図示された例では、一側接続部５１および他側接続部５２は、側面視において、対応する側の側壁部２５，２６の上縁２５ａ，２６ａに垂直な方向（より具体的には、側面視における、側壁部２５，２６の上縁２５ａ，２６ａのうち端部支持部材４１，４２が接続された部分の接線Ｌに垂直な方向）に対してなす角度が１０°以下となる方向Ｄ１に延び出している。
【００３８】
なお、本実施の形態の握り部材５０は、幼児を幼児座席１０に乗せ降ろしし易いよう、必要に応じて座面部２１の上方から移動させることができるようになっている。さらに、握り部材５０を移動させる際、座席本体２０から取り外された握り部材５０の端部が幼児座席１０に着座する幼児に接触する虞が低減されるよう、握り部材５０の上記端部が座面部２１の上方を通過することがないようになっている。
【００３９】
具体的には、図３および図６から理解されるように、握り部材５０の一側接続部５１は、一側端部支持部材４１に着脱可能に接続している。また、握り部材５０の他側接続部５２は、他側端部支持部材４２に対して回転可能に接続している。したがって、握り部材５０の一側接続部５１を一側端部支持部材４１から取り外し、他側接続部５２を他側端部支持部材４２に対して回転させることにより、握り部材５０を、座面部２１の上方から座面部２１の側方へ移動させることができる。握り部材５０は、他側接続部５２が他側側壁部２６から延び出す方向Ｄ１に沿った回転軸線（したがって、他側接続部５２における握り部材５０の軸線５０ｘに沿った回転軸線）を中心として回転する。したがって、一側端部支持部材４１から取り外された一側接続部５１は、座面部２１の上方を通過することなく、座面部２１の周囲を通過する。また、握り部材５０が座席本体２０の周壁部２８の上縁２８ａによって画成される面に沿って移動するので、握り部材５０が幼児座席１０の周囲に位置するものと干渉する虞が低減される。
【００４０】
図３〜図８を参照して、握り部材５０と一対の端部支持部材４１，４２について、さらに詳細に説明する。図７は、一側端部支持部材４１の斜視図であり、図８は、一側接続部５１の斜視図である。
【００４１】
まず、図５を参照して、他側接続部５２および他側端部支持部材４２について説明する。
【００４２】
他側端部支持部材４２は、他側側壁部２６に固定される基部４２ａと、基部４２ａから上方に突出した円柱状の軸凸部４２ｂとを有する。図示された例では、軸凸部４２ｂは、側面視において、上述した他側接続部５２が延び出す方向Ｄ１（側面視において、他側側壁部２６の上縁２６ａに垂直な方向に対してなす角度が１０°以下となる方向Ｄ１）に延び出している。
【００４３】
握り部材５０の他側接続部５２には、軸凸部４２ｂを収容する軸受凹部５２ａが設けられている。そして、他側接続部５０は、軸と粒４２ｂの周りを回転することができる。軸受凹部５２ａは、他側端部５２の延びる方向Ｄ１に沿って延びている。これにより、握り部材５０は、他側端部５２における握り部材５０の軸線５０ｘに沿った回転軸線を中心として回転することができる。なお、図示された例では、他側接続部５２と他側端部支持部材４２とは、着脱不能に接続されている。
【００４４】
次に、中間部５３について説明する。中間部５３は、弾性変形可能に形成されている。中間部５３を弾性変形させることにより、他側接続部５２を他側端部支持部材４２に接続したまま、一側接続部５１を、一側端部支持部材４１に上方から接近するように、あるいは一側端部支持部材４１から上方に離間するように移動させることができる。中間部５３は、例えば、エチレン酢酸ビニルコポリマー等の樹脂で形成されている。
【００４５】
次に、図４および図７〜図８を参照して、一側接続部５１および一側端部支持部材４１について説明する。
【００４６】
図４および図７に示すように、一側端部支持部材４１は、一側側壁部２５に固定される基部４１ａと、基部４１ａから上方に突出した保持凸部４１ｂとを有する。図示された例では、保持凸部４１ｂは、円柱状に形成されている。図４に示すように、保持凸部４１ｂは、上述した一側接続部５１が延び出す方向Ｄ１（側面視において、一側側壁部２５の上縁２５ａに垂直な方向に対してなす角度が１０°以下となる方向Ｄ１）に突出している。
【００４７】
図４および図８に示すように、握り部材５０の一側接続部５１には、保持凸部４１ｂを収容可能な保持凹部５１ａが設けられている。具体的には、保持凹部５１ａは、上記一側接続部５１の延びる方向Ｄ１に沿って延びている。握り部材５０と一側端部支持部材４１とは、保持凸部４１ｂを保持凹部５１ａに収容することにより接続される。したがって、一側接続部５１を保持凸部４１ｂの突出方向Ｄ１に沿って移動させることにより、握り部材５０と一側端部支持部材４１とを着脱させることができる。保持凸部４１ｂの突出方向Ｄ１と上記一側接続部５１の延びる方向Ｄ１とは同じなので、一側接続部５１を、上記一側接続部５１の延びる方向Ｄ１に沿って移動させることにより（言い換えると、一側接続部５１における握り部材５０の軸線５０ｘに沿って移動させることにより）、握り部材５０と一側端部支持部材４１とを着脱することができる。握り部材５０の着脱方向が上記一側接続部５１の延びる方向Ｄ１に沿っていることにより、幼児座席１０の使用者（幼児座席１０に着座する幼児の保護者、自転車２の運転者）は、握り部材５０の着脱方法を、視覚的に把握することができる。
【００４８】
上述した握り部材５０は、中間部５３を弾性変形させることで、一側接続部５１を一側端部支持部材４１に対して相対移動させることができる。したがって、中間部５３を弾性変形させて、一側接続部５１を保持凸部４１ｂの突出方向Ｄ１に沿って移動させることにより、保持凸部４１ｂは、保持凹部５１ａから抜け出すことができる。なお、図示された例では、中間部５３が弾性変形していない状態で、すなわち握り部材５０に外力が加えられていない状態で、保持凸部４１ｂは保持凹部５１ａ内に位置する。これにより、一側接続部５１と一側端部支持部材４１との着脱を、容易に行うことができる。
【００４９】
図示された例では、一側端部支持部材４１および一側接続部５１は、一側接続部５１を一側端部支持部材４１に接続した状態に維持する維持機構６０を有している。維持機構６０は、保持凸部４１ｂが保持凹部５１ａに収容された状態に維持する。維持機構６０は、保持凸部４１ｂに設けられた突起６１と、一側接続部５１に形成された突起受け６２と、を含む。突起受け６２は、一側接続部５１の内面（保持凹部５１ａを画成する面）に開口する穴である。さらに、一側接続部５１には、維持機構６０による一側接続部５１と一側端部支持部材４１との接続維持状態を解除するための、解除操作部６３が設けられている。
【００５０】
図７から理解されるように、突起６１は、保持凸部４１ｂの突出方向Ｄ１と交差する方向Ｄ２に突出している。突起６１は、保持凸部４１ｂ内を上記方向Ｄ２に沿って移動可能であり、上記方向Ｄ２に沿って保持凸部４１ｂの外側に向けて付勢されている。突起６１に保持凸部４１ｂの内側へ向かう力が加わると、突起６１は、保持凸部４１ｂ内に埋没する。図示された例では、突起６１は、保持凸部４１ｂの一側と他側に、それぞれ設けられている。
【００５１】
上述したように、また図８に示すように、突起受け６２は、一側接続部５１の内面に開口している。より詳細には、突起受け６２は、保持凸部４１ｂが保持凹部５１ａに収容された状態で突起６１と対面する位置に、開口している。したがって、保持凸部４１ｂが保持凹部５１ａに収容されると、突起６１は、突起受け６２に嵌まり込む。図示された例では、突起受け６２は、各突起６１に対応して２つ設けられている。また、各突起受け６２は、保持凸部４１ｂが保持凹部５１ａに収容された状態で、突起６１の突出方向Ｄ２と一致する方向に延びている。
【００５２】
突起６１は、保持凸部４１ｂが保持凹部５１ａに収容される際、一側接続部５１の内面によって保持凸部４１ｂの内側へ向けて押されて、保持凸部４１ｂ内に自動的に埋没する。そして、突起６１は、突起受け６２に対面する位置に到達した際、突起６１に加わる付勢力によって、突起受け６２内に自動的に嵌まり込む。すなわち、保持凸部４１ｂを保持凹部５１ａに挿入するだけで、一側接続部５１は、一側端部支持部材４１に対して自動的に固定されるようになる。言い換えると、一側接続部５１と一側端部支持部材４１とは、維持機構６０によって、自動的に接続維持状態とされる。
【００５３】
次に、解除操作部６３について説明する。解除操作部６３は、突起受け６２内に嵌まり込んだ突起６１を保持凸部４１ｂ内に押し込んで、維持機構６０による接続維持状態を解除するために用いられる。図示された例では、まず、上述した突起受け６２は、一側接続部５１を上記方向Ｄ２に沿って貫通する貫通孔である。そして、解除操作部６３の少なくとも一部は、一側接続部５１の外側から、突起受け６２内に収容されている。解除操作部６３を一側接続部５１の外側から内側へ向けて押し込むことにより、突起６１を保持凸部４１ｂ内に押し込んで、維持機構６０による接続維持状態を解除することができる。図示された例では、解除操作部６３は、２つの突起受け６２の各々に設けられている。
【００５４】
なお、図示された例では、一側端部支持部材４１は、一側端部支持部材４１を支持する一側側壁部２５よりも幅方向外側で（一側側壁部２５の一側で）、握り部材５０の一側接続部５１と接続している。具体的には、保持凸部４１ｂは、一側側壁部２５よりも幅方向外側に位置している。また、他側端部支持部材４２は、他側端部支持部材４２を支持する他側側壁部２６よりも幅方向外側で（他側側壁部２６の他側で）、握り部材５０の他側端部５２と接続している。具体的には、軸凸部４２ｂは、他側側壁部２６よりも幅方向外側に位置している。これにより、幼児座席１０の居住空間を広く確保することができる。
【００５５】
また、図示された例では、一側端部支持部材４１は、一側端部支持部材４１を支持する一側側壁部２５の上縁２５ａよりも上方で（より詳細には、上記上縁２５ａのうち一側端部支持部材４１が接続する部分よりも上方で）、握り部材５０の一側接続部５１と接続している。具体的には、保持凸部４１ｂは、一側側壁部２５の上縁２５ａよりも上方に位置している。また、他側端部支持部材４２は、他側端部支持部材４２を支持する他側側壁部２６の上縁２６ａよりも上方で（より詳細には、上記上縁２６ａのうち他側端部支持部材４２が接続する部分よりも上方で）、握り部材５０の他側端部５２と接続している。具体的には、軸凸部４２ｂは、他側側壁部２６の上縁２６ａよりも上方に位置している。このことによっても、幼児座席１０の居住空間を広く確保することができる。
【００５６】
ここで、本実施の形態の幼児座席１０による、握り部材５０の操作方法について説明する。
【００５７】
まず、握り部材５０を、図３に示す位置から図６に示す位置に移動させる際の操作方法について説明する。握り部材５０が図３に示す状態にある場合、握り部材５０の一側接続部５１は、一側端部支持部材４１に接続されている。より具体的には、一側端部支持部材４１の保持凸部４１ｂが、一側端部５１の保持凹部５１ａに収容されている。また、保持凸部４１ｂの突起６１が、一側端部５１の突起受け６２に嵌まり込んでいる。握り部材５０を図３に示す位置から図６に示す位置に移動させる場合、まず、解除操作部６３を一側端部５１の内側に押し込んで、突起６１を保持凸部４１ｂ内に埋没させる。この状態を維持したまま、一側端部５１を一側端部５１の延びる方向Ｄ１に沿って持ち上げる。このとき、握り部材５０の中間部５３を弾性変形させながら一側端部５１を持ち上げる。一側端部５１が十分に持ち上がって一側端部支持部材４１の保持凸部４１ｂが一側端部５１の保持凹部５１ａから抜け出したら、握り部材５０を、他側端部支持部材４２の軸凸部４２ｂの周りで（したがって、他側接続部５２の延びる方向Ｄ１に沿った回転軸線を中心として）回転させて、図６に示す位置まで移動させる。
【００５８】
次に、握り部材５０を、図６に示す位置から図３に示す位置に移動させる際の操作方法について説明する。まず、握り部材５０を、他側端部支持部材４２の軸凸部４２ｂの周りで（したがって、他側接続部５２の延びる方向Ｄ１に沿った回転軸線を中心として）回転させる。握り部材５０の一側接続部５１が一側端部支持部材４１の近傍に到達したら、中間部５３を弾性変形させて、一側接続部５１を、側壁部２６の上縁２６ａよりも上方に持ち上げる。握り部材５０を軸凸部４２ｂの周りでさらに回転させ、一側接続部５１の保持凹部５１ａと一側端部支持部材４１の保持凸部４１ｂとが対面したら、中間部５３の弾性変形を低減させながら、一側接続部５１を保持凸部４１ｂの突出方向Ｄ１に沿って移動させる。そして、保持凸部４１ｂを保持凹部５１ａに収容する。このとき、保持凸部４１ｂの突起６１は、上述したように、保持凸部４１ｂ内に自動的に埋没し、その後、保持凹部５１ａの突起受け６２に嵌まり込む。これにより、一側接続部５１と一側端部支持部材４１との接続が維持される。
【００５９】
次に、図９〜図１１を参照して座席本体２０に装着されるフットカバー７０について説明する。図９には、フットカバー７０が装着された幼児座席１０が示されており、図１０には、フットカバー７０全体構成が示されている。また、図１１には、フットカバー７０を座席本体２０から取り外す方法が示されている。
【００６０】
図９に示すように、フットカバー７０は、幼児座席１０の座面部２１と周壁部２８の前側半部とを覆って、フット幼児座席１０に着座した幼児に風よけの空間を提供する。
【００６１】
図９および図１０に示すように、フットカバー７０は、座席本体２０に装着された状態で、座面部２１を上方から覆う前面部７１と、周壁部２８の前側半部を外側から覆う周面部７２と、接続部２７および座面部２１の一部を下方から覆う下面部７３と、を有する。前面部７１と下面部７３とは、対向して配置され、周面部７２によって接続されている。これにより、前面部７１と周面部７２と下面部７３とは、袋状をなしている。さらに、フットカバー７０は、握り部材５０に巻き付けられる巻き付け部７４を有する。巻き付け部７４は、前面部７１の上端縁に接続している。巻き付け部７４および前面部７１には、留め具７５が設けられており、巻き付け部７４と前面部７１とを対面した状態に維持することができるようになっている。留め具７５としては、面ファスナーやスナップボタン等、種々の留め具を用いることができる。図９に示すように、巻き付け部７４を握り部材５０の中間部５３に巻き付けて、巻き付け部７４と前面部７１とを留め具７５で留めることにより、フットカバー７０を握り部材５０に取り付けることができる。このようにして握り部材５０に取り付けられ、座席本体２０に装着されたフットカバー７０は、図１１に示すように、握り部材５０の一側接続部５１を一側端部支持部材４１から外して、握り部材５０を他側端部支持部材４２の軸凸部４２ｂの周りで回転させるだけで、座席本体２０から取り外すことができる。すなわち、幼児を幼児座席１０から下ろすために握り部材５０を移動させると同時に、フットカバー７０を座席本体２０から取り外すことができる。
【００６２】
図１０に示す例では、フットカバー７０は、さらに、フットカバー７０をハンドル６に取り付けるための取り付け部材７６を有している。図示された例では、取り付け部材７６は、一端が下面部７３の縁部に固定された紐状の部材である。取り付け部材７６の両端部には、当該両端部を接続する留め具７７が設けられている。留め具７７としては、面ファスナーやスナップボタン等、種々の留め具を用いることができる。取り付け部材７６をハンドル６に巻き付けて両端部を留め具７７で接続することにより、フットカバー７０の下面部７３を、取り付け部材７６を介してハンドル６に接続することができる。これにより、意図せずフットカバー７０が座席本体２０から外れてしまう虞が、低減される。
【００６３】
なお、上述した自転車２、幼児座席１０およびフットカバー７０は、一例に過ぎず、種々の変更が可能である。
【００６４】
例えば、上述した実施例では、一側端部支持部材４１に保持凸部４１ｂが設けられ、握り部材５０の一側接続部５１に保持凹部５１ａが設けられる例について説明してきた。しかしながら、一側接続部５１に保持凸部が設けられ、一側端部支持部材４１に保持凹部が設けられてもよい。この場合も、保持凸部は、一側接続部５１と一側端部支持部材４１とを着脱する際の一側接続部５１および一側端部支持部材４１の相対移動方向Ｄ１に突出し、保持凹部５１ａは、当該相対移動方向Ｄ１に延びていればよい。
【００６５】
また、この場合、一側端部支持部材４１に設けられた保持凹部を、一側端部支持部材４１を支持する一側側壁部２５よりも幅方向外側に配置することにより、幼児座席１０の居住空間を広く確保することができる。また、一側端部支持部材４１に設けられた保持凹部を、一側端部支持部材４１を支持する一側側壁部２５の上縁２５ａよりも上方に配置することにより、居住空間を広く確保することができる。
【００６６】
また、上述した実施例では、一側接続部５１を一側端部支持部材４１に対して保持凸部４１ｂの突出方向Ｄ１に移動させて、一側接続部５１および一側端部支持部材４１の着脱を行う例について説明してきた。しかしながら、一側接続部５１および一側端部支持部材４１の着脱を行う際の一側接続部５１および一側端部支持部材４１の相対移動方向は、保持凸部４１ｂの突出方向Ｄ１に沿っていなくてもよい。例えば、図１２に示すように、上記相対移動方向は、握り部材５０を軸凸部４２ｂの周りで回転させる際の一側接続部５１の移動方向Ｄ３に沿った方向であってもよい。この場合、保持凹部５１ａは、図１２および図１３に示すように、上記移動方向Ｄ３に沿って一側接続部５１の外周面から内部へ延びていればよい。また、この場合、握り部材５０は、弾性変形可能でなくてもよい。
【００６７】
さらに、上述した実施例では、幼児座席１０がハンドル６に固定される例について説明してきたが、これに限られない。例えば、座席本体２０は自転車２の荷台８に取り付け可能な形状を有し、幼児座席１０は荷台８に取り付けられてもよい。
【００６８】
以上のように、本実施の形態によれば、自転車用幼児座席１０は、自転車２に取り付けられる幼児用の座席である。幼児座席１０は、座面部２１と座面部２１の両側方から接続した一対の側壁部２５，２６とを有する座席本体２０と、座席本体２０の一対の側壁部２５，２６にそれぞれ設けられた端部支持部材４１，４２に、両端部５１，５２において接続した握り部材５０と、を備えている。握り部材５０は、その一側端部５１において、一側端部支持部材４１に着脱可能となっている。また、握り部材５０は、その他側端部５２において、握り部材５０の軸線５０ｘに沿った回転軸線を中心として回転可能に他側端部支持部材４２に接続している。
【００６９】
このような幼児座席１０によれば、幼児を幼児座席１０に乗せ降ろしし易いよう、握り部材５０を座面部２１の上方から移動させることができる。具体的には、握り部材５０の一側端部５１を一側端部支持部材４１から取り外し、他側端部５２を他側端部支持部材４２に対して回転させることにより、握り部材５０を、座面部２１の上方から座面部２１の側方へ移動させることができる。また、握り部材５０を移動させる際、握り部材５０がその軸線５０ｘに沿った回転軸線を中心として回転するので、握り部材５０の端部支持部材４１から取り外された一側端部５１は、座面部２１の周囲を通過する。握り部材５０の端部５１が座面部２１の上方を通過しないので、当該端部５１が幼児座席１０に着座する幼児に接触して幼児がけがをする虞が低減される。さらに、握り部材５０を座席本体２０の縁２８ａに沿って移動させることができるので、握り部材５０が幼児座席１０の周囲に位置するものと干渉する虞も低減される。
【００７０】
また、本実施の形態において、一側端部５１における握り部材５０の軸線５０ｘに沿った方向に、一側端部５１を一側端部支持部材４１に対して相対移動させることで、握り部材５０は一側端部支持部材４１に着脱可能となっている。このような幼児座席１０によれば、一側端部５１の延びる方向に沿って一側端部５１を移動させることで、握り部材５０を一側端部支持部材４１に着脱させることができるので、握り部材５０の操作方法を視覚的に把握することができる。したがって、使用者は、幼児座席１０を容易に取り扱うことができる。
【００７１】
また、本実施の形態において、一側端部５１および一側端部支持部材４１の一方が、相対移動方向Ｄ１に突出した保持凸部４１ｂを有し、一側端部５１および一側端部支持部材４１の他方が、保持凸部４１ｂを収容可能な保持凹部５１ａを有している。このような一側端部５１と一側端部支持部材４１とは、着脱が容易である。
【００７２】
また、本実施の形態において、握り部材５０は、少なくとも一部分において弾性変形可能であり、握り部材５０が弾性変形することで保持凸部４１ｂが保持凹部５１ａから抜け出し可能となっている。このような握り部材５０によれば、複雑な機構を伴うことなく、一側端部５１と一側端部支持部材４１とを着脱させることができる。
【００７３】
また、本実施の形態において、握り部材５０は、少なくとも一部分において弾性変形可能であり、外力が加えられていない状態で、保持凸部４１ｂが保持凹部５１ａ内に位置する。これにより、保持凸部４１ｂと保持凹部５１ａとを、容易に接続することができる。
【００７４】
また、本実施の形態において、一側端部支持部材４１に設けられた保持凸部４１ｂ又は保持凹部５１ａは、一側端部支持部材４１を支持する一側側壁部２５よりも幅方向外側に位置している。これにより、幼児座席１０の居住空間を広く確保することができる。
【００７５】
また、本実施の形態において、一側端部支持部材４１に設けられた保持凸部４１ｂ又は保持凹部５１ａは、一側端部支持部材４１を支持する一側側壁部２５の上縁２５ａよりも上方に位置している。これにより、幼児座席１０の居住空間を広く確保することができる。
【００７６】
また、本実施の形態において、一側端部支持部材４１は、一側端部支持部材４１を支持する一側側壁部２５よりも幅方向外側において握り部材５０の一側端部５１と接続し、他側端部支持部材４２は、他側端部支持部材４２を支持する他側側壁部２６よりも幅方向外側において握り部材５０の他側端部５２と接続している。これにより、幼児座席１０の居住空間を広く確保することができる。
【００７７】
また、本実施の形態において、一側端部支持部材４１は、一側端部支持部材４１を支持する一側側壁部２５の上縁２５ａよりも上方において握り部材５０の一側端部５１と接続し、他側端部支持部材４２は、他側端部支持部材４２を支持する他側側壁部２６の上縁２６ａよりも上方において握り部材５０の他側端部５２と接続している。これにより、幼児座席１０の居住空間を広く確保することができる。
【００７８】
また、本実施の形態において、側面視において、側壁部２５，２６の縁２５，２６に垂直な方向に対してなす角度が１０°以下となる方向に、握り部材５０の両端部５１，５２は端部支持部材４１，４２から延び出している。これにより、握り部材５０の回転軸線が延びる方向が、側壁部２５，２６の縁２５，２６に垂直な方向に対してなす角度が１０°以下となる方向となる。このような回転軸線を中心として握り部材５０が回転することにより、握り部材５０を移動させる際に握り部材５０の一側端部５１が座面部２１の上方を通過することを、より効果的に防止することができる。また、握り部材５０が、より座席本体２０の縁２８ａに沿って移動するようになる。これにより、握り部材５０が幼児座席１０の周囲に位置するものと干渉する虞を、効果的に低減させることができる。
【００７９】
また、本実施の形態において、幼児座席１０は、座席本体２０に着脱可能なフットカバー７０を更に備え、フットカバー７０は、握り部材５０に取り付け可能となっている。これにより、握り部材５０の回転にともなってフットカバー７０を座席本体２０から外すことができる。すなわち、幼児を幼児座席１０から下ろすために握り部材５０を移動させると当時に、フットカバー７０を座席本体２０から取り外すことができる。
【００８０】
また、本実施の形態による幼児座席付き自転車１は、上述した幼児座席１０と、幼児座席１０を取り付けられた自転車２と、を備える。このような幼児座席付き自転車１によれば、幼児を幼児座席１０に乗せ降ろしし易いよう、握り部材５０を座面部２１の上方から移動させることができる。具体的には、握り部材５０の一側端部５１を一側端部支持部材４１から取り外し、他側端部５２を他側端部支持部材４２に対して回転させることにより、握り部材５０を座面部２１の上方から座面部２１の側方へ移動させることができる。また、握り部材５０を移動させる際、握り部材５０がその軸線５０ｘに沿った回転軸線を中心として回転するので、握り部材５０の端部支持部材４１から取り外された一側端部５１は、座面部２１の周囲を通過する。握り部材５０の端部５１が座面部２１の上方を通過しないので、当該端部５１が幼児座席１０に着座する幼児に接触して幼児がけがをする虞が低減される。さらに、握り部材５０を座席本体２０の縁２８ａに沿って移動させることができるので、握り部材５０が幼児座席１０の周囲に位置するものと干渉する虞も低減される。
【００８１】
なお、以上において上述した実施の形態に対するいくつかの変形例を説明してきたが、当然に、複数の変形例を適宜組み合わせて適用することも可能である。
【符号の説明】
【００８２】
１     幼児座席付き自転車
２     自転車
１０   幼児座席
２０   座席本体
２１   座面部
２５   一側側壁部
２６   他側側壁部
３０   子供用ベルト
４１   一側端部支持部材
４１ｂ 保持凸部
４２   他側端部支持部材
５０   握り部材
５１   一側端部、一側接続部
５２   他側端部、他側接続部
５３   中間部
６０   維持機構
７０   フットカバー
【図１】
2020075587.tif 000003
【図２】
2020075587.tif 000004
【図３】
2020075587.tif 000005
【図４】
2020075587.tif 000006
【図５】
2020075587.tif 000007
【図６】
2020075587.tif 000008
【図７】
2020075587.tif 000009
【図８】
2020075587.tif 000010
【図９】
2020075587.tif 000011
【図１０】
2020075587.tif 000012
【図１１】
2020075587.tif 000013
【図１２】
2020075587.tif 000014
【図１３】
2020075587.tif 000015